(57)【要約】【課題】蓋のない箱状または筒状のペンスタンドでは手などが当たりペンスタンドが転倒した場合には、中の筆記用具が勢いよく飛び出してしまう。  本発明は、以上の問題点を解決するためになされたものである。【解決手段】蓋のない箱状または筒状の容器の側面部の内側に、回転軸またはその他の構造によって接合されており、容器が傾いた際に常に重力方向に対して一定の方向の向きを保とうとする可動の板または可動の棒あるいは可動の枠を設けたことを特徴とする転倒時飛び出し防止具付ペンスタンド。【選択図】図３
2018111301.tif 000002
【特許請求の範囲】
【請求項１】
直方体または円柱あるいはそれらに類する形状であって上面部が開いている容器を設け、その側面部の内側に、回転軸またはその他の構造によって接合されており、容器が傾いた際に常に重力方向に対して一定の方向の向きを保とうとする可動の板または可動の棒あるいは可動の枠を設けた転倒時飛び出し防止具付ペンスタンド。
【請求項２】
請求項１の構造である、転倒時の収納物の飛び出し防止具が設けられた筆記用具以外の物を収納する収納容器。
【請求項３】
既存の直方体または円柱あるいはそれらに類する形状であって上面部が開いている容器に、粘着テープあるいはその他の方法で取り付ける、容器が傾いた際に常に重力方向に対し一定の方向の向きを保とうとする可動の板または可動の棒あるいは可動の枠が回転軸またはその他の構造によって接合された板またはそれに類する物。
【発明の詳細な説明】
【技術分野】
【０００１】  本発明は、ペンや鉛筆などの筆記用具を立てた状態で入れておくことができる蓋のない箱状または筒状の転倒時飛び出し防止具付ペンスタンドに関するものである。
【背景技術】
【０００２】  従来から、ペンや鉛筆などの筆記用具を立てた状態で入れておくことができる蓋のない箱状または筒状のペンスタンドがある。
なお、毛のついた仕切り板を数多く設けて筆記用具を個別に固定収納する先行技術がある（特許文献１参照）。
さらに、筆記用具を各個ずつ固定する剣山型ペンスタンドがある（特許文献２）。
【先行技術文献】
【特許文献】
【０００３】
【特許文献１】特開平０８−２０７４９０号公報
【特許文献２】特開２００８−１４９６９３号公報
【発明の概要】
【発明が解決しようとする課題】
【０００４】  ペンや鉛筆などの筆記用具を立てた状態で入れておく蓋のない箱状または筒状のペンスタンドは、収納することができる筆記用具の太さの上限が決まってしまう数多くの仕切り板を設けたペンスタンドや剣山型ペンスタンドに比べて、一般的な物よりも太い物を収納することができる。
その上、ペンや鉛筆などの筆記用具を立てた状態で入れておく蓋のない箱状または筒状のペンスタンドは、数多くの仕切り板を設けたペンスタンドや剣山型ペンスタンドに比べて、同面積あたりの収納可能本数が多い。
しかし、従来の箱状または筒状のペンスタンドでは筆記用具が固定収納されていないため、手などが当たりペンスタンドが転倒した場合には、中の筆記用具が勢いよく飛び出してしまい片付けるのが面倒である。
本発明は、以上の問題点を解決するためになされたものである。
【課題を解決するための手段】
【０００５】  直方体または円柱あるいはそれらに類する形状であって上面部が開いている容器を設け、その側面部の内側に、回転軸またはその他の構造によって接合されており、容器が傾いた際に常に重力方向に対して一定の方向の向きを保とうとする可動の板または可動の棒あるいは可動の枠を設ける。
以上の構成よりなる転倒時飛び出し防止具付ペンスタンド。
【発明の効果】
【０００６】  ペンや鉛筆などの筆記用具を立てた状態で入れておく蓋のない箱状または筒状のペンスタンドにおいて、本発明により、手などが当たって転倒しても中の筆記用具が勢いよく飛び出しにくくなり、片付けが面倒でなくなる。
【図面の簡単な説明】
【０００７】
【図１】箱状であり押さえ板が複数枚に分割されていない場合の本発明の斜視図
【図２】箱状であり押さえ板が複数枚に分割されていない場合の本発明の使用状態を示す斜視図
【図３】箱状であり押さえ板が複数枚に分割されていない場合の本発明の一つの側面部の内側の斜視図
【図４】箱状の場合の本発明に設ける押さえ枠を上から見た図
【図５】箱状の場合の本発明に設ける押さえ枠の斜視図
【図６】筒状の場合の本発明に設ける押さえ枠を上から見た図
【発明を実施するための形態】
【０００８】  以下、本発明の実施の形態を説明する。
（ア）直方体またはそれに類する形状であり、かつ筆記用具（２）を上から立てた状態で入れることができるよう上面部が開いている箱状の容器（１）を設ける。
（イ）それぞれの側面部の内側の上部に、底面と平行になるような回転軸（３）を設ける。
（ウ）それぞれの回転軸（３）には、底面から見て上下に可動するような長方形またはそれに類する形状の板が接合されている。これらが、転倒時に筆記用具（２）を押さえる押さえ板（４）である。
押さえ板（４）は、容器が傾いても自重にて重力方向に対して平行な向きに向こうとするようになっている。
例え収納されている筆記用具（２）が細いペン一本だけであっても本発明転倒時には押さえ板（４）が地面に対して斜めになって筆記用具（２）を押さえるように、押さえ板（４）の長さは設定されている。
本発明転倒時に押さえ板（４）が自重によって滑らかに動くよう、回転軸（３）と押さえ板（４）の接合は緩くなっている。
押さえ板（４）の回転軸（３）とは反対側の辺の縁には滑り止めゴム（５）が付いている。
ただし、辺の縁の両端に滑り止めゴム（５）がかからないようになっている。
辺の縁の両端にまで滑り止めゴム（５）がかかっていると、隣り合う押さえ板（４）同士がそれぞれの動きを妨げてしまうからである。
なお、それぞれの押さえ板（４）の回転軸（３）とは反対側の辺の両角を少し丸みを帯びたものにすると、隣り合う押さえ板（４）同士がそれぞれいっそう円滑に動くようになる。
（エ）回転軸（３）と押さえ板（４）は、本発明を立てた状態で側面部を上から見ると見えないようになっている。
なぜなら、側面部内側面から引っ込んだ窪みに回転軸（３）と押さえ板（４）が設けられているからである。
窪みを作らずにそのまま側面部内側面に回転軸（３）と押さえ板（４）を設けると、筆記用具（２）を上から入れる際に回転軸（３）に筆記用具（２）が引っ掛かってしまうからである。
（オ）それぞれの側面部に一枚ずつ押さえ板（４）を設けても転倒時に筆記用具（２）が飛び出しにくくなるが、その押さえ板（４）を複数枚に分割すれば飛び出し防止効果がいっそう強くなる。
本発明転倒時に筆記用具（２）に接する押さえ板の滑り止めゴムの面積が大きくなるからである。
（カ）回転軸（３）によって押さえ板（４）と側面部は接合されているが、押さえ板（４）が上下に滑らかに動くのであれば回転軸（３）以外の構造を用いて接合する場合もある。
押さえ板と側面部をビニールや複数の短い糸など柔軟性の高い物で接合するなどである。
箱状である場合の本発明は以上のような構造である。
箱状である場合の本発明の使用方法は以下のとおりである。
（キ）本発明の上面部から筆記用具を一本以上入れて収納する。
筆記用具使用時には、それを持ち上げるだけである。
筆記用具は固定収納されているわけではないので、出し入れは極めて容易である。
（ク）手などが当たり本発明が転倒した場合、地面に対して平行になりかつ上になる方の側面部に設けられている押さえ板が自重によって動き地面に対して斜めになって接し筆記用具を地面方向に押さえ付けることになる。
押さえ板が押さえ付ける力は、押さえ板が直接押さえつけている筆記用具の下にある筆記用具にも伝わる。
その力により、筆記用具が複数であっても本発明転倒時に筆記用具が飛び出しにくくなる。
押さえ板が複数枚に分割されておらず筆記用具が数多い場合には、その力が伝わらず飛び出してしまう物がわずかながらもあり得るが、それでも押さえ板がない箱状のペンスタンドに比べると格段に片付けが楽である。
転倒した本発明を立てれば、押さえ板は自重により再び側面部の窪みに戻る。
なお、円柱などの筒状である場合の本発明の構造及び使用方法は以下のとおりである。
（ケ）円柱またはそれに類する形状であり、かつ上から筆記用具を立てて入れることができるよう上面部が開いている筒状の容器を設ける。
（コ）その容器の側面部を上から見ると円形またはそれに類する形状になっている。
その側面部内側に、上下左右等全方向に動く回転軸によって棒を接合する。
この棒が本発明転倒時に筆記用具を押さえ付ける押さえ棒である。
この押さえ棒が側面部内側に数多く設けられている
押さえ棒の回転軸とは反対側の先端には滑り止めゴムが付いている。
本発明を傾けた際にも押さえ棒が自重によって常に重力方向に平行な方向に向くよう、回転軸と押さえ棒の接合は緩くなっている。
回転軸によって押さえ棒と側面部は接合されているが、押さえ棒が上下左右等全方向に滑らかに動くのであれば回転軸以外の構造を用いて接合する場合もある。押さえ棒と側面部を短い糸など柔軟性の高い物で接合するなどである。
押さえ棒の長さは側面部を上から見た場合の直径または長径より長くなっている。
回転軸と押さえ棒は、本発明を上から見た場合に見えないように、側面部内側から引っ込んだ窪みに設けられている。
（サ）使用方法は、上記の（キ）と同様である。
本発明転倒時には、複数の押さえ棒が自重によって垂れ下がり筆記用具を地面に対して斜めになって押さえ付ける。
この力により、筆記用具が飛び出すのを防ぐのである。
転倒した本発明を立てれば、押さえ棒は自重により再び側面部内側の窪みに戻る。
（シ）容器が円柱またはそれに類する形状の筒型ではなく直方体またはそれに類する形状の箱型であっても、押さえ板の代わりに（コ）及び（サ）で述べた押さえ棒が接合されている場合がある。
（ス）容器が円柱またはそれに類する形状の筒型であっても、押さえ棒の代わりに（ウ）及び（エ）及び（オ）並びに（カ）で述べた押さえ板が接合されている場合がある。
この場合には、押さえ板を側面部内側に接合している回転軸またはその他の構造は押さえ板が上下左右等全方向に動くような構造になっている。
中を覗き込むなど本発明を意図的に斜めに傾けたい状況が生じることがあり得るが、この状況では押さえ板や押さえ棒が垂れ下がってしまい邪魔になってしまう。
押さえ板や押さえ棒が側面部内側の窪みから出ないように必要時にまとめて固定する構造を設ける場合もある。
側面部内側の回転軸（３）よりも上の位置に、側面部の内縁に沿うような形であり上下に動かすことができる固定枠（６）を設け、押さえ板（４）や押さえ棒をまとめて固定したい時にはその固定枠（６）を回転軸（３）より下の位置まで動かすことができる構造が、その一例である。
本発明では、押さえ板や押さえ棒を設ける以外に、押さえ枠を箱状または筒状の容器の側面部内側に設ける場合もあり、その場合における構造及び使用方法は以下のとおりである。
（セ）容器が直方体またはそれに類する形状の箱型の場合、まずはその側面部内側の縁に沿うような形状でありその縁よりもわずかに小さい外枠（７）を設ける。
その外枠（７）の内側に、その外枠（７）の内側縁に沿う形状でありその内側縁よりもわずかに小さい内枠（８）を回転軸（３）二つにて接合する。その二つの回転軸（３）は、それぞれが外枠の向かい合う二つの辺の中央位置にあり、回転が滑らかになるよう摩擦力が少ないものである。
以上で述べた外枠（７）と内枠（８）の組み合わせが押さえ枠となる。
この押さえ板の外枠（７）の向かい合う二つの辺でありかつ内枠（８）との接合の回転軸がない二つの辺の中央位置に摩擦力が少ない回転軸（３）を設け、その回転軸（３）により容器側面部内側に接合されている。
押さえ枠の外枠（７）も内枠（８）も、容器を傾けた際に重力方向に対して垂直向きまたはその他の一定の向きを保とうとする力が働くよう配分されたある程度の重量があり、筆記用具を押さえやすいように表面がゴムで覆われているなど表面の摩擦力が大きくなるような加工がされている。
使用方法は、上面部から一本以上の筆記用具を立てた状態で出し入れするだけである。
本発明が転倒した際には、その転倒方向によって押さえ枠の外枠（７）か内枠（８）のいずれかが、重力方向に対して垂直向きまたはその他の一定の向きを保とうとし、その力により容器の上面部の縁を支点として筆記用具を上下から押さえることになる。
転倒した本発明を再び立てれば、押さえ枠は元の位置に戻る。
（ソ）容器が円柱またはそれに類する形状の筒型の場合であっても、押さえ枠の構造は上記（セ）で述べた構造である。
ただ、容器の底面に直方体またはそれに類する形状の板を設ける。
底面に設けた板により、本来なら筒型容器の場合にはあらゆる方向に転倒し得るのだが、転倒し得る方向を直方体またはそれに類する形状の容器の場合と同様に四方向程度に限定させることができる。
押さえ枠が容器側面部内側に接合される際には、底面に設けた板の四辺を考慮して外枠（７）または内枠（８）が有効に働くような位置に接合されることになる。
（タ）筆記用具を容器に出し入れする際に、筆記用具の先端が押さえ枠に当たってしまいそれによって押さえ枠が動いてしまい、押さえ枠が邪魔になってしまうことがあり得る。
容器側面部内側の、押さえ枠の動きを妨げないが容器を立てた状態で押さえ枠に最も近い上下の位置に、側面部内縁に沿って一周する出っ張りを設け、収納する際に筆記用具の先端が押さえ枠に当たりにくくなるようにした構造である場合もある。
（チ）押さえ枠に付いているそれぞれの回転軸（３）については、短い糸などの柔軟性の高い物に変えられる場合もある。この場合でも、外枠（７）や内枠（８）は自重により滑らかに動くことができる。
上記の（ア）から（チ）でペンスタンドについて述べたが、本発明は筆記用具ではなく箸やパンフレットなどのその他の収納物を収納する容器である場合もある。箸やパンフレットなどのその他の物を収納する容器の場合でも、容器転倒時に収納物が押さえ板または押さえ棒あるいは押さえ枠の働きにより飛び出しにくくなる。
また、本発明は、既存の直方体または円柱あるいはそれらに類する形状であって上面部が開いている容器に、後付けで粘着テープまたは磁石あるいは鋲などを用いて取り付ける、押さえ板または押さえ棒あるいは押さえ枠が回転軸または短い糸などのその他の構造で接合された板またはそれに類する物のみである場合もある。この場合には、既存の容器に合うサイズの本発明を選択して用意し容器側面部内側の適当な位置に本発明を取り付ければ、既存容器を転倒時飛び出し防止具付容器に変えることができる。
【符号の説明】
【０００９】１  容器、２  筆記用具、３  回転軸、４  押さえ板、５  滑り止めゴム、６  固定枠、７  外枠、８  内枠
【図１】
2018111301.tif 000003
【図２】
2018111301.tif 000004
【図３】
2018111301.tif 000005
【図４】
2018111301.tif 000006
【図５】
2018111301.tif 000007
【図６】
2018111301.tif 000008